(57)【特許請求の範囲】
【請求項１】
物品に所要の処理を施す物品処理装置と、上記物品処理装置の運転状態を示すデータをトレンドデータ又はイベントデータとして収集する端末装置を備え、
上記トレンドデータとイベントデータとにはそれぞれを区別するための区分が付加されており、
上記端末装置は、所定周期毎に収集した時刻を含むトレンドデータをトレンドファイルと統合ファイルとのそれぞれに時系列で記録するトレンドデータ記録手段と、イベント発生時に収集した時刻を含むイベントデータをイベントファイルと上記統合ファイルとのそれぞれに時系列で記録するイベントデータ記録手段とを有し、さらに該端末装置は、上記統合ファイルの内容を基にして上記物品処理装置に関する帳票を作成することを特徴とする物品処理装置の監視システム。
【請求項２】
上記イベントデータ記録手段は、イベントの種類毎に作成されたイベントファイルに時系列でイベントデータを記録するように構成されていることを特徴とする請求項１に記載の物品処理装置の監視システム。
【発明の詳細な説明】
【０００１】
【発明の属する技術分野】
本発明は物品処理装置の監視システムに関し、より詳しくは、物品処理装置の運転状況を監視する監視システムに関する。
【０００２】
【従来の技術】
従来、複数の物品処理装置の運転状況を把握するために、所定の端末装置において各物品処理装置毎にトレンドデータとイベントデータとを収集するようにしてあり、それら２種類のデータを保存する別個のファイルに時系列でそれらのデータを記録するようにしている（例えば特許文献１）。
ここで、トレンドデータとは、端末装置が物品処理装置から一定周期毎に収集するデータをいい、イベントデータとは、例えば物品処理装置の運転開始や運転終了、あるいは処理不良の物品の発生等といった何らかのイベントが発生した時に収集するデータをいう。
上記従来のシステムにおいては、トレンドデータは、トレンドサーバによりデータ記録ファイルが作成されてその中に記録され、また、イベントデータはイベント履歴サーバによってデ一夕記録ファイルが作成されて、その中に記録されるようになっている。
【０００３】
【発明が解決しようとする課題】
ところで、上述した従来のシステムにおいて、例えば図２に示すようなトレンドデータとイベントデータとを合わせて時系列に並べた帳票（製造数管理日報）を作成したい場合には、それらを統合する統合データサーバにおいて、各データ記録ファイルのうちから必要なデータを検索して収集し、収集したデータを統合したファイルを作成する必要があった。
そのために、従来では、帳票を作成する端末装置に、統合したファイルを作成する専用ソフトを作成して組み込む必要があった。したがって、従来のシステムでは、余分の処理工程が発生してしまうという問題があった。
さらに、各イベントデータが１つのファイルに記録されている場合においては、特定のイベントだけについて帳票を作成したい時に、イベントファイル内に記録した特定イベントのデータを検索しなければならないという欠点があった。
【０００４】
【課題を解決するための手段】
上述した事情に鑑み、請求項１に記載した本発明は、物品に所要の処理を施す物品処理装置と、上記物品処理装置の運転状態を示すデータをトレンドデータ又はイベントデータとして収集する端末装置を備え、上記トレンドデータとイベントデータとにはそれぞれを区別するための区分が付加されており、上記端末装置は、所定周期毎に収集した時刻を含むトレンドデータをトレンドファイルと統合ファイルとのそれぞれに時系列で記録するトレンドデータ記録手段と、イベント発生時に収集した時刻を含むイベントデータをイベントファイルと上記統合ファイルとのそれぞれに時系列で記録するイベントデータ記録手段とを有し、さらに該端末装置は、上記統合ファイルの内容を基にして上記物品処理装置に関する帳票を作成することを特徴とする物品処理装置の監視システムを提供するものである。
【０００５】
上述した本発明によれば、トレンドデータ記録手段によってトレンドデータをトレンドファイルと統合ファイルとのそれぞれに時系列で記録することができるとともに、イベントデータ記録手段によってイベントデータをイベントファイルと上記統合ファイルとのそれぞれに時系列で記録することができるので、イベントデータとトレンドデータを統合するための専用ソフトを設ける必要が無く、その分だけ従来と比較して物品処理装置の監視システムの構成を簡略化することができる。
【０００６】
【発明の実施の形態】
以下図示実施例について本発明を説明すると、図１において、監視システム１は、物品に所要の処理を施す物品処理装置２Ａ〜２Ｃを備えている。
本実施例における処理の対象となる物品は、充填液を充填される容器であり、各容器は図示しない搬送手段によって順次各物品処理装置２Ａ〜２Ｃへ搬送されるようになっている。これら物品処理装置２Ａ〜２Ｃとしては、順次隣接させて配置したフィラ／キャッパ２Ａ、ラベラ２Ｂ、ケーサ２Ｃとすることができる。
フィラ／キャッパ２Ａは容器に充填液を充填したのち容器の口部にキャップを取り付けるようになっており、このフィラ／キャッパ２Ａは、制御装置３Ａによって作動を制御されるとともに、作動を監視されるようになっている。この制御装置３Ａは端末装置４Ａに接続されており、端末装置４Ａは、二次端末装置５に接続されている。
これと同様に、ラベラ２Ｂおよびケーサ２Ｃも、それぞれに接続した制御装置３Ｂ、３Ｃによって作動を制御され、かつ作動を監視されるようになっており、各制御装置３Ｂ、３Ｃは各端末装置４Ｂ、４Ｃに接続されている。そしてさらに、これらの端末装置４Ｂ、４Ｃも上記二次端末装置５に接続されている。
【０００７】
このような製造設備において、二次端末装置５に図２に示すフィラ／キャッパ２Ａに関する製造数管理日報を作成する例について以下に説明する。
フィラ／キャッパ２Ａの作動を制御する上記制御装置３Ａは、フィラ／キャッパ２Ａに設けた図示しないセンサ等からの信号が入力されるようになっている。そして、端末装置４Ａは制御装置３Ａより、上記センサから入力された各信号に基づくデータをトレンドデータまたはイベントデータとして収集するようになっている。
なお、図３に示すデータが図２に示す製造数管理日報の基になるデータである。
【０００８】
しかして、本実施例は、図３のように上記のトレンドデータとイベントデータを合わせて時系列で記録された統合ファイルＦを以下のように作成することにより、従来と比較して物品処理装置の監視システム１の構成を簡略化したものである。
端末装置４Ａは、イベントデータ記録手段であるイベントツール４ａとトレンドデータ記録手段であるトレンドツール４ｂとを備えている。
トレンドツール４ｂは、トレンドデータが発生したときにそのトレンドデータを記録する単一のトレンドファイルＴｆを作成するとともに、それとは別に単一の統合ファイルＦを作成するようになっている。
そして、トレンドツール４ｂは、所定周期毎に制御装置３Ａからトレンドデータが端末装置４Ａに伝達されると、時系列で各トレンドデータをトレンドファイルＴｆに記録すると同時に、同じ内容を統合ファイルＦに記録するようになっている。本実施例におけるトレンドデータとしては、図４のように区分Ｔが付されたデータであり、より詳細には、時刻６と、各時刻におけるフィラへ供給された空の容器の合計数（ボトル繰入数）７、外観不良の容器の合計数８、充填量不足の容器の合計数（入味不良数）９、巻締不良の容器の合計数１０、フィラによる充填液の充填後のサンプリング容器の採集数１１であり、さらに充填作業開始後の充填液の充填を終了した容器の合計数１２、充填液温１３等からなる。本実施例においては、生産開始後の９：５４から３０分おきにトレンドデータが収集されて、これらのトレンドデータは、図３および図４に示したように、時系列でトレンドファイルＴｆおよび統合ファイルＦに記録されるようになっている。
【０００９】
他方、イベントツール４ａは、イベント発生時に制御装置３Ａからイベントデータが時系列で伝達されると、種類の異なる各イベント毎に個別の専用ファイルIｆ１〜Iｆｎを作成して、そこに各イベントデータを記録するようになっている。本実施例においてはイベントデータとしては、トレンドデータと同じ形式で区分Ｒが付され、イベント発生時の時刻、その時刻におけるトレンドデータと同様の各数値６〜１３からなる。例えば、図５に示すのは、生産開始のイベント時のイベントデータであり、イベントファイルＩｆ１に記録され、また図６に示すのが充填液温異常のイベント時のイベントデータであり、イベントファイルＩｆ２に記録される。この他、図示しないが同様に、充填量不足容器の検出時、キャップ巻締不良容器の検出時、生産終了時の各イベント時にイベントデータが各ファイルに記録される。
さらに本実施例では、上記イベントツール４ａは、各イベントデータが制御装置３Ａから端末装置４Ａに伝達されると、上述したように各イベントファイルIｆ１〜Ｉｆｎにイベントデータを記録するだけでなく、それと同時に各イベントデータを上記統合ファイルＦに時系列で記録するようになっている。
例えば、時刻１３：０３に、フィラによる充填開始後に充填液温異常を検出した場合には、随時制御装置３Ａからイベントツール４ａにその旨のイベントデータが伝達され、図６に示すようにイベントツール４ａはそれに対応するイベントファイルＩｆ２に当該イベントデータを記録すると同時に、図３に示すように該イベントデータを統合ファイルＦにも記録するようになっている。このため、図３に示す、統合ファイルＦはイベントデータ及びトレンドデータが時系列で記録されたものとなる。
そして、この統合ファイルＦに記録した時系列のトレンドデータ及びイベントデータは、各物品処理装置２Ａ〜２Ｃによるその日の処理が終了した時点で二次端末装置５に送信されるようになっている。
なお、統合ファイルＦにトレンドデータ及びイベントデータを上述したように記録する際に、それらが同じ時刻である場合には、イベントデータを優先させて統合ファイルＦに記憶するようにしている。
【００１０】
一方、二次端末装置５は、帳票作成ツール５Ａを備えており、この帳票作成ツール５Ａによって、端末装置４Ａの統合ファイルＦの内容を基にして、フィラ／キャッパ２Ａの製造数管理日報を作成するようになっている。
以上の説明は、フィラ／キャッパ２Ａのトレンドデータ及びイベントデータが伝達される端末装置４Ａについて説明したが、その他の端末装置４Ｂ、４Ｃも上記端末装置４Ａと同様に構成しており、所望の帳票を作成することができるようになっている。
【００１１】
このように、本実施例においては、トレンドツール及びイベントツールにより端末装置４Ａ〜４Ｃに上記統合ファイルを作成しているので、従来の二次端末装置５内にこのような統合ファイルを作成するソフトウエアを必要としたものに比較して、統合ファイルを作成するための専用ソフトウエアを設ける必要はない。
したがって、その分だけ、端末装置４Ａ〜４Ｃの構成ひいては、物品処理装置の監視システム１の構成を簡略化することが可能となる。
また、本実施例においては、各端末装置は、各イベントデータを異なる種類毎のイベントファイル（Ｉｆ１〜Ｉｆｎ）に記録しているので、特定のイベントの発生について検索したい場合に、きわめて容易に検索することができる。
なお、本実施例においては、トレンドツールおよびイベントツールは、最初にデータを収集した時に新たにトレンドファイルおよびイベントファイルを作成して記録しているが、予めデータが空のファイルを作成しておいても良い。
また、トレンドファイルやイベントファイルは必要なものだけを作成すれば良く、特に必要のない場合には、ファイルを作成しないようにしても良い。
さらに、本実施例においては、物品処理装置による作業が継続途中であっても統合ファイルから二次端末装置５に統合ファイルの記録内容を伝達することができるので、二次端末装置５は、所要時に特定の物品処理装置に付いての帳票を容易に作成することが可能である。
なお、上記実施例においては、各物品処理装置毎の端末装置４Ａ〜４Ｃの統合ファイルの内容を二次端末装置５に伝達するようにしているが、それに加えて、各端末装置４Ａ〜４ＣのイベントファイルＩｆ１〜Ｉｆｎの保存内容をコピーして、上記二次端末装置５に送信し、そこに保存するようにしても良い。そのように構成することで、各物品処理装置４Ａ〜４Ｃにおける時系列のイベントデータを二次端末装置５において把握することができる。
また、上述した実施例においては、端末装置４Ａ〜４Ｃとは別に二次端末装置５を設けているが、これらの機能を単一の端末装置で処理するようにしても良い。
【００１２】
【発明の効果】
以上のように、本発明によれば、従来と比較して物品処理装置の監視システムの構成を簡略化することができるという効果が得られる。
【図面の簡単な説明】
【図１】本発明の一実施例である物品製造監視システムを表す概略の構成図。
【図２】図１に二次端末装置５によって作成した帳票（製造数管理日報）を示す図。
【図３】図１に示した統合ファイルＦに記録された時系列のイベントデータおよびトレンドデータを示す図。
【図４】図１に示した統合ファイルＦに記録されたトレンドデータを示す図。
【図５】図１に示したフィラ／キャッパ２Ａの作動開始時におけるイベントデータを示す図。
【図６】図１に示したフィラ／キャッパ２Ａにおける液温の異常が発生した際のイベントデータを示す図。
【符号の説明】
１…製造設備監視システム
２Ａ…物品処理装置（フィラ／キャッパ）
３Ａ…制御装置                ４Ａ…端末装置
４ａ…イベントツール          ４ｂ…トレンドツール
Ｆ…統合ファイル
【図１】
0004721315.tif 000002
【図２】
0004721315.tif 000003
【図３】
0004721315.tif 000004
【図４】
0004721315.tif 000005
【図５】
0004721315.tif 000006
【図６】
0004721315.tif 000007